(57)【要約】【課題】逆浸透膜が目詰まりしてしまうのを抑制することのできる水処理装置を得る。【解決手段】水処理装置１は、少なくとも逆浸透膜４１ａを有し、処理水を生成するとともに濃縮水を排水するフィルタ４１を有している。そして、水処理装置１は、濃縮水の排水流速を変動させる流速変動手段９を有している。【選択図】図１
2011255349.tif 000002
【特許請求の範囲】
【請求項１】
逆浸透膜を有し、処理水を生成するとともに濃縮水を排水するフィルタを備える水処理装置であって、
前記水処理装置は、前記濃縮水の排水流速を変動させる流速変動手段を備えていることを特徴とする水処理装置。
【請求項２】
前記流速変動手段が気液混合手段であることを特徴とする請求項１に記載の水処理装置。
【請求項３】
前記流速変動手段が、前記フィルタへの供給される水の流路を切り換える流路切換手段であることを特徴とする請求項１または請求項２に記載の水処理装置。
【請求項４】
前記水処理装置は、排水される濃縮水を前記フィルタの上流側に還流する還流路を備えていることを特徴とする請求項１〜３のうちいずれか１項に記載の水処理装置。
【請求項５】
前記水処理装置は、排水される濃縮水の水質を検知する水質検知手段を備えていることを特徴とする請求項１〜４のうちいずれか１項に記載の水処理装置。
【発明の詳細な説明】
【技術分野】
【０００１】
本発明は、水処理装置に関する。
【背景技術】
【０００２】
従来、水処理装置として、逆浸透膜モジュールユニットを多段に配置し、前段の逆浸透膜モジュールユニットからの濃縮水流路が、次段の逆浸透膜モジュールユニットの供給液流路に連通させたものが知られている（たとえば、特許文献１参照）。
【先行技術文献】
【特許文献】
【０００３】
【特許文献１】特開２０００−０５１６６３号公報
【発明の概要】
【発明が解決しようとする課題】
【０００４】
しかしながら、かかる従来の技術では、後段に配置される逆浸透膜モジュールユニットに供給される水は、濃度の高い濃縮水であるため、逆浸透膜に汚れが付着し、逆浸透膜が目詰まりしやすいという問題がある。
【０００５】
そこで、本発明は、逆浸透膜が目詰まりしてしまうのを抑制することのできる水処理装置を得ることを目的とする。
【課題を解決するための手段】
【０００６】
本発明にあっては、逆浸透膜を有し、処理水を生成するとともに濃縮水を排水するフィルタを備える水処理装置であって、前記水処理装置は、前記濃縮水の排水流速を変動させる流速変動手段を備えていることを主要な特徴とする。
【発明の効果】
【０００７】
本発明によれば、水処理装置は、逆浸透膜を有するフィルタから排水される濃縮水の排水流速を変動させる流速変動手段を備えており、流速変動手段によって濃縮水の排水流速を変動させることで、逆浸透膜を振動させることができる。その結果、逆浸透膜に汚れが付着しにくくなり、逆浸透膜が目詰まりしてしまうのを抑制することができる。
【図面の簡単な説明】
【０００８】
【図１】図１は、本発明の第１実施形態にかかる水処理装置を模式的に示す全体構成図である。
【図２】図２は、本発明の第２実施形態にかかる水処理装置を模式的に示す全体構成図である。
【図３】図３は、本発明の第３実施形態にかかる水処理装置を模式的に示す全体構成図である。
【図４】図４は、本発明の第４実施形態にかかる水処理装置を模式的に示す全体構成図である。
【図５】図５は、本発明の第５実施形態にかかる水処理装置を模式的に示す全体構成図である。
【発明を実施するための形態】
【０００９】
以下、本発明の実施形態について図面を参照しつつ詳細に説明する。なお、以下では、逆浸透膜の透過水が生成される側と反対側（ナノフィルタの逆浸透膜を透過しない水が存在する側）のことを逆浸透膜の原水側と定義する。また、以下の複数の実施形態ならびにその変形例には、同様の構成要素が含まれている。よって、以下では、それら同様の構成要素には共通の符号を付与するとともに、重複する説明を省略する。
【００１０】
（第１実施形態）
本実施形態にかかる水処理装置１は、図１に示すように、筐体２と、筐体２に取り付けられた吐水部３と、ＮＦ膜（逆浸透膜）４１ａを有するナノフィルタ（少なくとも逆浸透膜を有するフィルタ）４１を有し、筐体２内に配置される浄水部４と、を備えている。
【００１１】
吐水部３は、操作・報知部３１と、浄水（処理水）が吐出する吐水カラン３２と、を備えている。
【００１２】
浄水部４は、水道水路Ｐ０に分岐部Ｄ１を介して接続され、原水である水道水が導入される主通水路Ｐ１を有しており、この主通水路Ｐ１にナノフィルタ４１が配置されている。さらに本実施形態では、ナノフィルタ４１の上流側に前処理部４０が配置されており、当該前処理部４０にて前処理された水をナノフィルタ４１に導入するようにしている。
【００１３】
具体的には、本実施形態では、主通水路Ｐ１の上流側から下流側に向かって順に、第１プレフィルタ４２、供給ポンプ４３、第２プレフィルタ４４、第３プレフィルタ４５、ナノフィルタ４１が配置されている。また、本実施形態では、主通水路Ｐ１の第１プレフィルタ４２の上流側には、浄水部４内に供給される水道水の水圧を検知する圧力センサ６が設けられており、第１プレフィルタ４２と供給ポンプ４３との間には、水道水の水処理装置１内への導入の開始および停止を制御する開閉弁７が設けられている。
【００１４】
第１プレフィルタ４２は、例えば、孔径５μｍの不織布フィルタで構成されており、主通水路Ｐ１内に導入される水道水に混入した大きな粒子やゴミなど、比較的大きめの異物を捕捉して除去するものである。なお、このプレフィルタ４２は、供給ポンプ４３内部への微粒子の混入によるポンプ能力の低下を防止したり、開閉弁７の開閉動作が阻害されてしまうのを抑制するために設けるものであり、特に設けなくてもよい。ただし、その場合、例えば、微粒子を捕捉可能なストレーナを供給ポンプ４３や開閉弁７の上流側に配置するのが好ましい。
【００１５】
第１プレフィルタ４２および開閉弁７を通過して供給ポンプ４３に到達した水は、供給ポンプ４３で昇圧（たとえば、０．４ＭＰａ）され、下流側に圧送される。なお、供給ポンプ４３は、ゴミなどが除去された水を昇圧して下流側に圧送することで、ナノフィルタ４１の逆浸透圧を作り出すものである。この供給ポンプ４３や開閉弁７の配置位置は、図１に示すものに限らず、他の場所に配置することができる。例えば、第３プレフィルタ４５の下流側や、ストレーナを上流側に配置した状態で第１プレフィルタ４２の上流側に配置することが可能である。
【００１６】
そして、供給ポンプ４３で昇圧されて下流側に圧送された水は、第２プレフィルタ４４および第３プレフィルタ４５に導入されて遊離残留塩素等が除去される。
【００１７】
第２プレフィルタ４４には、活性炭フィルタ（図示せず）が収納されており、水に溶解した成分、特に異味や異臭、あるいは、トリハロメタンをはじめとしたハロゲン化炭素を除去するものである。
【００１８】
なお、活性炭フィルタの内部に重金属を除去するための重金属除去剤を混入し、当該重金属除去剤に鉛などの有害重金属を吸着させて除去できるようにしてもよい。また、活性炭フィルタで水中の残留塩素を分解除去することで、下流側に細菌が繁殖し易くなるが、これを防止するため、第２プレフィルタ４４に、銀などの抗菌性を有する金属を含む抗菌剤を混合するようにしてもよい。
【００１９】
また、第３プレフィルタ４５は、例えば、孔径１μｍの不織布フィルタで構成されており、第１プレフィルタ４２では捕捉されないより微細な懸濁物質を捕捉、除去するものである。
【００２０】
このように、本実施形態では、第１プレフィルタ４２、供給ポンプ４３、第２プレフィルタ４４および第３プレフィルタ４５にて前処理が行われた水が、ナノフィルタ４１に導入されるようになっている。すなわち、本実施形態では、第１プレフィルタ４２、供給ポンプ４３、第２プレフィルタ４４および第３プレフィルタ４５で前処理部４０を形成している。
【００２１】
なお、前処理部の構成は、この構成に限定されるものではなく、例えば、ブロック活性炭フィルタや繊維状活性炭フィルタを用い、当該フィルタの孔径を利用して不織布フィルタの機能を兼ね備えるようにしてもよい。
【００２２】
そして、前処理部４０にて前処理が行われた水はナノフィルタ４１に導入され、濃縮水および処理水が生成される。本実施形態では、２つのナノフィルタ４１，４１が並列に配置されており、それぞれ通水路Ｐ２，Ｐ３を介して水が導入されるようになっている。
【００２３】
なお、ナノフィルタ４１の上流側に、ナノフィルタ４１への流入量を検知する流量センサ８が設けられている。
【００２４】
このナノフィルタ４１は、ＮＦ膜４１ａによって有機物（たとえば、トリハロメタンやカビ臭および農薬など）や重金属イオン（たとえば、鉛、クロム、カドミウム、水銀、砒素など）、さらにナトリウムやカルシウムなどの低分子量のイオン成分などを除去するものである。そして、ＮＦ膜４１ａを透過した水は、これらの物質が除去された処理水として、それぞれ処理水路Ｐ４，Ｐ６を通り、合流水路Ｐ９に供給される。また、ＮＦ膜４１ａを透過しない水は、上述の物質が含有された濃縮水として濃縮水通路Ｐ５，Ｐ７を通り、排水調整弁９が設けられた合流排水路Ｐ８から外部に排出される。
【００２５】
なお、ＮＦ膜４１ａはＲＯ膜よりも透過孔が大きくなっている。そのため、ＮＦ膜４１ａを用いたナノフィルタ４１は、粒子や有機物および重金属を９０パーセント以上の高い除去率で除去することができるが、低分子量のイオン成分は透過水に約１０〜３０パーセント程度残存するという特性を有する。この場合、例えば導電率が３００μＳ／ｃｍの水を透過させた場合、低分子イオンが残存した処理水として、約６０μＳ／ｃｍ程度の導電率の処理水が得られる。ただし、逆浸透膜として使用する膜は、このＮＦ膜に限らず、ＲＯ膜等の逆浸透膜も用いることが可能である。
【００２６】
なお、通水路Ｐ９には、処理水の流量を検知する流量センサ１０が設けられている。
【００２７】
そして、通水路Ｐ９の導入された処理水は、吐水カラン３２から取り出される。
【００２８】
また、本実施形態では、圧力センサ６、供給ポンプ４３、開閉弁７，流量センサ８、排水調整弁９、流量センサ１０、および操作・報知部３１は、それぞれ、配線Ｈ１、Ｈ２、Ｈ３、Ｈ４、Ｈ５、Ｈ６、Ｈ７を介して制御装置１１に接続され、当該制御装置１１により制御されている。
【００２９】
ここで、本実施形態では、水処理装置１に、濃縮水の排水流速を変動させる流速変動手段を設けている。
【００３０】
具体的には、排水調整弁９を流速変動手段として用いている。すなわち、制御装置１１により排水調整弁９の開度を変えることで、濃縮水の排水流速を変動させている。なお、流速変動手段として電磁開閉弁にスリットを設けたものを用い、当該電磁開閉弁のオン・オフにより排水速度を変化させるようにしてもよい。このように、スリットを設けた電磁開閉弁を用いると、より迅速に排水速度を変化させることができるようになる。
【００３１】
かかる構成を備える水処理装置１は、以下のように動作する。
【００３２】
まず、吐水部３に設けられた操作・報知部３１を操作し、浄水生成モードを選択すると、制御装置１１により、主通水路Ｐ１の開閉弁６が開かれる。そして、水道水が水道水路Ｐ０から分岐部Ｄ１を通って主通水路Ｐ１内に導入され、主通水路Ｐ１内の前処理部４０、すなわち、第１から第３プレフィルタ４２，４４，４５を通過しながら浄水されるとともに、供給ポンプ４３により昇圧される。
【００３３】
そして、前処理部４０にて浄水された水がナノフィルタ４１に導入される。なお、前処理部４０にて処理された水の水量が所定値以下であると流量センサ８が検知した場合には、制御装置１１が、給水路に異常が生じていると判断し、制御装置１１によって開閉弁６が閉じられて供給ポンプ４３が停止するとともに、水処理装置１の異常が操作・報知部３１に報知される。
【００３４】
そして、ナノフィルタ４１に導入され、ＮＦ膜４１ａを透過して当該ＮＦ膜４１ａによって水中に溶存する有機物やイオンが取り除かれた処理水（浄水）が、処理水路Ｐ４，Ｐ６を通り、合流水路Ｐ９を介して吐水カラン３２に供給されて外部に吐出される。
【００３５】
一方、ナノフィルタ４１に導入されるが、ＮＦ膜４１ａを透過しない水は、濃縮水として濃縮水通路Ｐ５，Ｐ７および合流排水路Ｐ８を通過し、外部に排出される。
【００３６】
このとき、濃縮水の流量が少ない場合には、ＮＦ膜４１ａの原水側表面における水流の線速度が低下し、濃縮水の濃度分極が発生しやすくなる。そのため、ＮＦ膜４１ａの表面に、有機物やイオン等が付着しやすくなり、ＮＦ膜４１ａが目詰まりし、透過水量の低下を招いてしまうという問題がある。また、濃縮水の水量を増加させると、濃度分極の発生は抑制できるが、透過水量が低下してしまう。
【００３７】
そこで、本実施形態では、浄水生成時に、制御装置１１により排水調整弁９の開度を変えるようにした。具体的には、制御装置１１によって、所定時間（数秒から十数秒）、開閉弁９の開度を拡大させ、所定時間（数秒から十数秒）経過後に開閉弁９の開度を縮小させるという一連の動作を繰り返し行うようにしている。このように、開閉弁９の開度を拡大、縮小させることで、高濃度の濃縮水が長時間ＮＦ膜４１ａに接触してしまうのを抑制することができる。また、ＮＦ膜４１ａの原水側表面における水流の線速度が急激に変化するため、ＮＦ膜４１ａの表面に付着した有機物やイオン等を洗い流すことが可能となる。このように、排水調整弁９の開度を変えることで、ＮＦ膜４１ａの表面に有機物やイオン等の成分が付着してしまうのを抑制している。
【００３８】
なお、操作・報知部３１の操作により通水を停止した場合には、制御装置１１により開閉弁７が閉じられ、供給ポンプ４３が停止する。
【００３９】
以上説明したように、本実施形態によれば、水処理装置１は、ＮＦ膜（逆浸透膜）４１ａを有するナノフィルタ（フィルタ）４１から排水される濃縮水の排水流速を変動させる排水調整弁（流速変動手段）９を備えている。そして、制御装置１１によって、所定時間（数秒から十数秒）、開閉弁９の開度を拡大させ、所定時間（数秒から十数秒）経過後に開閉弁９の開度を縮小させるという一連の動作を繰り返し行うようにしている。このように、排水調整弁（流速変動手段）９によって濃縮水の排水流速を変動させることで、ＮＦ膜４１ａの原水側表面における水流の線速度を急激に変化させることができ、ＮＦ膜４１ａの表面に付着した有機物やイオン等を洗い流すことが可能となる。
【００４０】
そして、ＮＦ膜４１ａの原水側表面における水流の線速度を急激に変化させると、水流の線速度の急激な変化により、ＮＦ膜（逆浸透膜）４１ａが振動する。その結果、ＮＦ膜（逆浸透膜）４１ａに汚れが付着しにくくなり、ＮＦ膜（逆浸透膜）４１ａが目詰まりしてしまうのを抑制することができる。
【００４１】
（第２実施形態）
本実施形態にかかる水処理装置１Ａは、基本的に上記第１実施形態とほぼ同様の構成をしている。すなわち、水処理装置１Ａは、筐体２と、筐体２に取り付けられた吐水部３と、ＮＦ膜（逆浸透膜）４１ａを有するナノフィルタ（少なくとも逆浸透膜を有するフィルタ）４１を有し、筐体２内に配置される浄水部４と、を備えている。
【００４２】
ここで、本実施形態にかかる水処理装置１Ａが、上記第１実施形態と主に異なる点は、水処理装置１Ａに、流速変動手段としての気液混合手段を設けた点にある。
【００４３】
具体的には、図２に示すように、ナノフィルタ４１の上流側で、流量センサ８の下流側に気液混合部１２が設けられており、この気液混合部１２によってナノフィルタ４１に導入される水に気体が混合されるようにしている。
【００４４】
この気液混合部１２は、電磁開閉弁とエジェクタを組み合わせたものであってもよいし、エアポンプ等の空気を混合させるものであってもよい。また、ガスボンベと電磁開閉弁を組み合わせたものであってもよく、気体の混合の開始と停止が制御できるものであればよい。なお、気液混合部１２が周囲の空気を取り込む場合には、空気中のゴミを取り除く除塵手段を設けるようにするのが好ましい。
【００４５】
なお、ナノフィルタ４１に導入される水に気体を混合すると、気泡の集合・膨張が行われ、気泡がＮＦ膜４１ａの表面に滞留してしまうおそれがある。このように、ＮＦ膜４１ａの表面に気泡が溜まると、ＮＦ膜４１ａの濾過有効面積が減少してしまい、透過水量の低下を招いてしまうという問題がある。そのため、本実施形態では、ＮＦ膜４１ａの濃縮排水側が上を向くようにナノフィルタ４１を配置し、ＮＦ膜４１ａの表面に気泡が溜まるのを抑制できるようにしている。
【００４６】
かかる構成を備える水処理装置１Ａは、浄水生成時に、制御装置１１によって、ナノフィルタ４１に導入される水に、気体が間欠的に混合されるようにしている。
【００４７】
このように、ナノフィルタ４１に導入される水に、気体を間欠的に混合させることで、ナノフィルタ４１に導入される見かけ上の水量が増減し、ＮＦ膜４１ａの原水側表面における水流の線速度を急激に変化させることができる。
【００４８】
また、気泡を混合させることにより疎水性成分を気泡へ吸着させることができるようになる。さらに、ＮＦ膜４１ａ表面近傍での気泡の破裂・膨張により、ＮＦ膜４１ａが振動し、ＮＦ膜４１ａ表面に付着した成分を剥離させることができる。
【００４９】
このように、本実施形態によっても、上記第１実施形態と同様の作用、効果を奏することができる。
【００５０】
（第３実施形態）
本実施形態にかかる水処理装置１Ｂは、基本的に上記第１実施形態とほぼ同様の構成をしている。すなわち、水処理装置１Ｂは、筐体２と、筐体２に取り付けられた吐水部３と、ＮＦ膜（逆浸透膜）４１ａを有するナノフィルタ（少なくとも逆浸透膜を有するフィルタ）４１を有し、筐体２内に配置される浄水部４と、を備えている。
【００５１】
ここで、本実施形態にかかる水処理装置１Ｂが、上記第１実施形態と主に異なる点は、水処理装置１Ｂに、流速変動手段としての流路切換手段を設けた点にある。
【００５２】
具体的には、図３に示すように、主通水路Ｐ１は、ナノフィルタ４１の上流側で、分岐部Ｄ２を介して通水路Ｐ２，Ｐ３に分岐され、それぞれに開閉弁１３，１４が設けられている。
【００５３】
そして、通水路Ｐ２には、分岐部Ｄ３を介して通水路Ｐ１０，Ｐ１１が接続されている。この通水路Ｐ１０，Ｐ１１は、それぞれナノフィルタ４１に接続されている。
【００５４】
一方、通水路Ｐ３には、分岐部Ｄ４を介して通水路Ｐ１２，Ｐ１３が接続されており、通水路Ｐ１２は、ナノフィルタ４１の通水路Ｐ１１とは別の位置に接続されている。
【００５５】
そして、通水路Ｐ１３には、分岐部Ｄ５を介して通水路Ｐ１４，Ｐ１５が接続されており、通水路Ｐ１４は、ナノフィルタ４１の通水路Ｐ１０とは別の位置に接続されている。
【００５６】
さらに、通水路Ｐ１５には、分岐部Ｄ６を介して通水路Ｐ１６，合流排水路Ｐ８が接続されており、この通水路Ｐ１５には、開閉弁１５が設けられている。
【００５７】
また、通水路Ｐ１６は、分岐部Ｄ３を介して通水路Ｐ２，Ｐ１０，Ｐ１１に接続されており、この通水路Ｐ１６には、開閉弁９が設けられている。
【００５８】
なお、開閉弁１３、開閉弁１４、開閉弁１５は、それぞれ、配線Ｈ８、Ｈ９、Ｈ１０を介して制御装置１１に接続され、当該制御装置１１により制御されている。
【００５９】
ここで、本実施形態では、開閉弁９、開閉弁１４を制御手段１１により開くとともに、開閉弁１３、開閉弁１５を制御手段１１により閉じた状態で、ナノフィルタ４１に水を導入させる第１の流路（通水路Ｐ１２，Ｐ１４から導入し、通水路Ｐ１１，Ｐ１０から排出する流路）と、開閉弁９、開閉弁１４を制御手段１１により閉じるとともに、開閉弁１３、開閉弁１５を制御手段１１により開いた状態で、ナノフィルタ４１に水を導入させる第２の流路（通水路Ｐ１１，Ｐ１０から導入し、通水路Ｐ１２，Ｐ１４から排出する流路）と、を切り換えるようにしている。
【００６０】
このように、制御手段１１により、ナノフィルタ４１に導入、排出される水（濃縮水）の流路を繰り返し切り換えることで、ＮＦ膜４１ａの原水側表面における水流の方向が変化（反転）する。その結果、濃縮水の濃度分極が発生してしまうのを抑制することができる。
【００６１】
また、流路切換時に、ナノフィルタ４１内に乱流が発生するため、ＮＦ膜４１ａ表面に付着した成分を剥離させることができる。
【００６２】
このように、本実施形態によっても、上記第１実施形態と同様の作用、効果を奏することができる。
【００６３】
（第４実施形態）
本実施形態にかかる水処理装置１Ｃは、基本的に上記第１実施形態とほぼ同様の構成をしている。すなわち、水処理装置１Ｃは、筐体２と、筐体２に取り付けられた吐水部３と、ＮＦ膜（逆浸透膜）４１ａを有するナノフィルタ（少なくとも逆浸透膜を有するフィルタ）４１を有し、筐体２内に配置される浄水部４と、を備えている。
【００６４】
ここで、本実施形態にかかる水処理装置１Ｃが、上記第１実施形態と主に異なる点は、水処理装置１Ｃに、排水される濃縮水をナノフィルタ４１の上流側に還流する還流路Ｐ１６を設けた点にある。
【００６５】
具体的には、還流路Ｐ１６は、一端が、濃縮水通路Ｐ５，Ｐ７および合流排水路Ｐ８に接続されるとともに、他端が主通水路Ｐ０の開閉弁７と供給ポンプ４３の間に接続されている。そして、この還流路Ｐ１６にも、開閉弁１６が設けられており、開閉弁１６は、配線Ｈ１１を介して制御装置１１に接続され、当該制御装置１１により制御されている。
【００６６】
このように、排水される濃縮水をナノフィルタ４１の上流側に還流する還流路Ｐ１６を設け、濃縮水の還流量を調整することで、濃縮水の排水流速を変動させることができる。
【００６７】
このように、本実施形態によっても、上記第１実施形態と同様の作用、効果を奏することができる。
【００６８】
また、濃縮水の還流量を調整することで、濃縮水の排水流速を変動させることで、濃縮水の排水量を増大させることなく、ＮＦ膜（逆浸透膜）４１ａが目詰まりしてしまうのを抑制することができる。
【００６９】
（第５実施形態）
本実施形態にかかる水処理装置１Ｄは、基本的に上記第４実施形態とほぼ同様の構成をしている。すなわち、水処理装置１Ｄは、筐体２と、筐体２に取り付けられた吐水部３と、ＮＦ膜（逆浸透膜）４１ａを有するナノフィルタ（少なくとも逆浸透膜を有するフィルタ）４１を有し、筐体２内に配置される浄水部４と、を備えている。
【００７０】
そして、水処理装置１Ｄには、排水される濃縮水をナノフィルタ４１の上流側に還流する還流路Ｐ１６が設けられている。
【００７１】
ここで、本実施形態にかかる水処理装置１Ｄが、上記第４実施形態と主に異なる点は、水処理装置１Ｄに、排水される濃縮水の水質（ｐＨまたは導電率）を検知する水質センサ（水質検知手段）１７が設けられている点にある。
【００７２】
本実施形態では、水質センサ（水質検知手段）１７は、合流排水路Ｐ８の濃縮水通路Ｐ５，Ｐ７の合流部に設けられている。なお、水質センサ（水質検知手段）１７は、他の場所に設けるようにしてもよい。このとき、ナノフィルタ４１からの濃縮水の排水路（濃縮水通路Ｐ５，Ｐ７および合流排水路Ｐ８）、または、還流路Ｐ１６、または、ナノフィルタ４１への水の導入路（通水路Ｐ２，Ｐ３）に設けるようにするのが好適である。
【００７３】
また、水質センサ（水質検知手段）１７は、配線Ｈ１２を介して制御装置１１に接続され、当該制御装置１１により制御されている。
【００７４】
本実施形態では、水処理装置１Ｄに、排水される濃縮水の水質を検知する水質センサ（水質検知手段）１７を設けることで、濃縮水が、制御装置１１に予め記憶させた所定値を越える導電率を越えた場合（水質センサ１７により所定値以上のｐＨまたは導電率が検知された場合）に、開閉弁１６を閉じて濃縮水の還流を停止するようにしている。また、濃縮水が、制御装置１１に予め記憶させた所定値以下となった場合には、開閉弁１６を開き濃縮水を還流させるようにしている。
【００７５】
このように、濃縮水の水質に応じて開閉弁１６を開閉し、濃縮水の還流を開始したり停止したりすることでも、濃縮水の排水流速を変動させることができる。
【００７６】
すなわち、本実施形態によっても、上記第１実施形態と同様の作用、効果を奏することができる。
【００７７】
以上、本発明の好適な実施形態について説明したが、本発明は上記実施形態に限定されるものではなく、種々の変形が可能である。
【符号の説明】
【００７８】
１，１Ａ，１Ｂ，１Ｃ，１Ｄ  水処理装置
４  浄水部
９  排水調整弁（流速変動手段）
１２  気液混合部（気液混合手段）
１７  水質センサ（水質検知手段）
４１  ナノフィルタ（フィルタ）
４１ａ  ＮＦ膜（逆浸透膜）
Ｐ１６  還流路
【図１】
2011255349.tif 000003
【図２】
2011255349.tif 000004
【図３】
2011255349.tif 000005
【図４】
2011255349.tif 000006
【図５】
2011255349.tif 000007